(57)【特許請求の範囲】
【請求項１】
第１の電極と、この第１の電極に対向配置される第２の電極と、前記第１の電極と第２の電極の間の静電容量の変化を検出する検出回路とを備えた静電容量式検出装置の自己診断を行うための自己診断装置であって、
前記第１の電極と第２の電極との間に備えられた補助電極と、
この補助電極を前記検出回路に接続させると共に、前記補助電極を模擬侵入体として動作させるための模擬信号を供給する模擬信号供給部と、
あらかじめ設定された幅の比較信号を出力する比較信号出力部と、
前記模擬信号により前記検出回路から出力される出力信号の幅と、前記比較信号の幅とを比較する比較判定部と、
前記比較の結果、前記出力信号の幅が前記比較信号の幅よりも短い場合に、または前記模擬信号により前記検出回路から出力される出力信号が出てこない場合に、エラー信号を出力するエラー信号出力部とを備えていることを特徴とする自己診断装置。
【請求項２】
請求項１の自己診断装置により自己診断される静電容量式検出装置であって、
金属物体と非金属物体とが混在した状態で搬送経路に沿って搬送される搬送手段を備え、
前記搬送される物体群を挟むように第１の電極と第２の電極が配置されており、前記第１の電極と第２の電極の間の静電容量の変化を検出する検出回路は、前記第１の電極と第２の電極との間に配置される自己診断のための補助電極に接続されると共に、混在した物体群の中から金属物体を選別可能に構成されていることを特徴とする静電容量式検出装置。
【請求項３】
請求項１の自己診断装置により自己診断される静電容量式検出装置であって、
比誘電率の異なる複数の物体が混在した状態で搬送経路に沿って搬送される搬送手段を備え、
前記搬送される物体群を挟むように第１の電極と第２の電極が配置されており、前記第１の電極と第２の電極の間の静電容量の変化を検出する検出回路は、前記第１の電極と第２の電極との間に配置される自己診断のための補助電極に接続されると共に、混在した物体群の中から特定の比誘電率を有する物体を選別可能に構成されていることを特徴とする静電容量式検出装置。
【請求項４】
請求項１の自己診断装置により自己診断される静電容量式検出装置であって、
建造物の出入口部の幅方向又は上下方向両側に第１の電極と第２の電極が配置されており、前記第１の電極と第２の電極の間の静電容量の変化を検出する検出回路は、前記第１の電極と第２の電極との間に配置される自己診断のための補助電極に接続されると共に、前記出入口部からの人又は物体の侵入を検出可能に構成されていることを特徴とする静電容量式検出装置。
【請求項５】
請求項１の自己診断装置により自己診断される静電容量式検出装置であって、
エレベータ等の扉の幅方向又は上下方向両側に第１の電極と第２の電極が配置されており、前記第１の電極と第２の電極の間の静電容量の変化を検出する検出回路は、前記第１の電極と第２の電極との間に配置される自己診断のための補助電極に接続されると共に、前記扉の前の人の存在を検出可能に構成されていることを特徴とする静電容量式検出装置。
【請求項６】
請求項１の自己診断装置により自己診断される静電容量式検出装置であって、
第１の電極と、この第１の電極に対向配置される第２の電極と、前記第１の電極と第２の電極の間の静電容量の変化を検出する検出回路とを備え、
前記検出回路は、前記第１の電極と第２の電極との間に配置される自己診断のための補助電極に接続されると共に、前記第１の電極と前記第２の電極の間に進入してきた物体の進入量を検出可能に構成されていることを特徴とする静電容量式検出装置。
【請求項７】
請求項１の自己診断装置により自己診断される静電容量式検出装置であって、
トイレの便座の両側の壁面に第１の電極と第２の電極が配置されており、前記第１の電極と第２の電極の間の静電容量の変化を検出する検出回路は、前記第１の電極と第２の電極との間に配置される自己診断のための補助電極に接続されると共に、前記便座に人が座っているか否かを検出することを特徴とする静電容量式検出装置。
【請求項８】
請求項１の自己診断装置により自己診断される静電容量式検出装置であって、
建造物内の通路の両側に第１の電極と第２の電極が配置されており、前記第１の電極と第２の電極の間の静電容量の変化を検出する検出回路は、前記第１の電極と第２の電極との間に配置される自己診断のための補助電極に接続されると共に、前記第１の電極と第２の電極の間に人が侵入してきたことを検出し、これにより照明の点灯又は消灯を行うようにしたことを特徴とする静電容量式検出装置。
【発明の詳細な説明】
【０００１】
【発明の属する技術分野】
本発明は、静電容量式のセンサーを備えた静電容量式検出装置及びこの静電容量式検出装置のための自己診断装置に関するものである。
【０００２】
【従来の技術】
センサーを用いた検出装置は各種知られている。例えば、生産機械等に人の手が近づいたか否かを検出する安全装置に光センサーが用いられている。光センサーは非接触での検出が可能であると言う利点がある。
【０００３】
【発明が解決しようとする課題】
しかしながら、光センサーでは検出エリアが狭いため、検出エリアを広げようとすると、数多くの光センサーを必要としコスト的に問題があった。
本発明は上記実情に鑑みてなされたものであり、その課題は、検出エリアを十分確保することができる非接触のセンサーを用いた検出装置およびこの検出装置のための自己診断装置を提供することである。
【０００４】
【課題を解決するための手段】
上記課題を解決するため本発明に係る静電容量式検出装置は、
第１の電極と、この第１の電極に対向配置される第２の電極と、
前記第１の電極と第２の電極の間の静電容量の変化を検出する検出回路とを備えたことを特徴とするものである。
【０００５】
この検出装置に用いられるセンサーは、第１の電極と第２の電極の間の静電容量の変化を検出するものである。第１の電極と第２の電極の間に、人や物体が侵入すると静電容量が変化するので、これを検出回路により検出することにより、人や物体の侵入等を検出することができる。つまり、非接触式のセンサーである。また、第１の電極と第２の電極の大きさを十分にとることにより、容易に検出エリアを拡大することができる。その結果、検出エリアを十分確保することができる非接触のセンサーを用いた検出装置を提供することができる。
【０００６】
本発明の第１の好適な実施形態として、金属物体と非金属物体とが混在した状態で搬送経路に沿って搬送される搬送手段を備え、
前記搬送される物体群を挟むように前記第１の電極と第２の電極が配置されており、前記検出回路は、混在した物体群の中から金属物体を選別可能に構成されているものがあげられる。
【０００７】
たとえば、搬送コンベア等の搬送手段に、アルミ缶（金属物体）や、ビン、ペットボトル（非金属物体）とを混在した状態で搬送させ、これらを、第１、第２の電極の間を通過させることにより、アルミ缶のみを選別することが可能である。これは、アルミ缶の比誘電率が他の非金属物体とは異なっているという性質に基づくものである。これにより、ごみの分別を確実に行うことができる。
【０００８】
本発明の第２の実施形態として、比誘電率の異なる複数の物体が混在した状態で搬送経路に沿って搬送される搬送手段を備え、
前記搬送される物体群を挟むように前記第１の電極と第２の電極が配置されており、前記検出回路は、混在した物体群の中から特定の比誘電率を有する物体を選別可能に構成されているものがあげられる。
【０００９】
第１の実施形態の変形例であるが、材質が異なると比誘電率も異なると言う性質に着目したものである。これにより、金属の分別のみならず、多種類の樹脂材料が混在したものから、特定の樹脂材料のみを分別することが可能となる。これにより、ごみの分別のみならず、例えば、その他多種の用途に応用できる静電容量式検出装置とすることができる。
【００１０】
本発明の第３の実施形態として、建造物の出入口部の幅方向又は上下方向両側に前記第１の電極と第２の電極が配置されており、前記検出回路は、前記出入口部からの人又は物体の侵入を検出可能に構成されているものがあげられる。
【００１１】
この構成によると、建造物のベランダ、扉、窓等の出入口部から侵入してくる泥棒や強盗の侵入を確実に検出することができる。人の比誘電率は、空気の比誘電率よりも大きいために、容易に検出することが可能である。
【００１２】
本発明の第４の実施形態としてエレベータ等の扉の幅方向又は上下方向両側に前記第１の電極と第２の電極が配置されており、前記検出回路は、前記扉の前の人の存在を検出可能に構成されているものがあげられる。
【００１３】
この構成によると、エレベータ等の扉の前に人が来ると、その人の存在を検出し、エレベータをその階にまで移動させると共に、自動的に扉を開けるようにすることができる。したがって、この静電容量式検出装置を利用することにより、身障者等には非常に便利の良いエレベータシステムとすることができる。
【００１４】
本発明の第５の実施形態として、前記検出回路は、前記第１の電極と前記第２の電極の間に進入してきた導体の進入量を検出可能に構成されているものがあげられる。
【００１５】
この構成は、第１、第２の電極の間に侵入してきた導体等の物体の進入量を検出するものであり、物体の進入量により静電容量の変化量が異なるために、検出回路により進入量を求めることができる。この静電容量式検出装置は、位置センサーとして用いることが可能であり、さまざまな用途に使用可能である。
【００１６】
本発明の第６の実施形態として、トイレの便座の両側の壁面に第１の電極と第２の電極が配置されており、前記検出回路は、前記便座に人が座っているか否かを検出するものがあげられる。
【００１７】
この構成によると、トイレに人が入ってきて便座に座った状態になると、静電容量の変化により人を検出する。この場合の用途として、例えば、１人暮らしの老人がいる場合に、トイレに人が入ってきたことを監視センターにおいて検出すると共に、トイレに入っている時間も監視できる。そして、トイレに入っている時間が通常よりも長いと判断された場合には、何らかの異常が発生したものとして対応措置を迅速に取ることができる。
【００１８】
本発明の第７の実施形態として、建造物内の通路の両側に前記第１の電極と第２の電極が配置されており、前記検出回路は、前記第１の電極と第２の電極の間に人が侵入してきたことを検出し、これにより照明の点灯又は消灯を行うようにしたものがあげられる。
【００１９】
この構成によると、第１、第２の電極の間に人が侵入すると、照明を自動点灯させることができる。つまり、人の侵入のないときには照明を点灯させておく必要がなく、無駄な電力の消費を防止できると共に、照明を点灯操作する手間を省くことができる。また、照明の点灯ではなく、消灯を行うように構成しても良い。
【００２０】
本発明に係る自己診断装置は、上記いずれかの静電容量式検出装置の自己診断を行うための自己診断装置であって、
第１の電極と、この第１の電極に対向配置される第２の電極とからなる静電容量センサーと、
自己診断を行うために、前記静電容量センサーを作動させるための模擬信号を供給する模擬信号供給部と、
あらかじめ設定された幅の比較信号を出力する比較信号出力部と、
前記模擬信号により前記静電容量センサーから出力されるセンサー出力信号の幅と、前記比較信号の幅とを比較する比較判定部と、
前記比較の結果、前記センサー出力信号の幅が前記比較信号の幅よりも短い場合に、エラー信号を出力するエラー信号出力部とを備えていることを特徴とするものである。
【００２１】
上記構成による作用・効果は次の通りである。
（１）静電容量センサーを作動させるための模擬信号を供給する。これは、例えば、第１の電極と第２の電極の間に補助電極を設けておき、この補助電極を模擬信号により動作させることにより、物体や人体が電極間に挿入したのと同じような状態を創出することができる。あるいは、第１の電極と第２の電極の間に模擬物体を挿入するような構成にしても良い。
（２）静電容量センサーからは、上記模擬信号によりある幅を有するセンサー出力信号が出力される。
（３）一方、模擬信号の供給に関連して設定された幅の比較信号を出力させる。
（４）比較信号の幅とセンサー出力信号の幅とを比較する。
（５）センサー出力信号の幅が比較信号の幅よりも短い場合には、エラー信号を出力する。
【００２２】
これは、静電容量センサー等が正常であれば、所定幅以上の幅を有するセンサー出力信号が出力されるはず、と言う技術思想に基づくものである。比較信号の幅よりも短い場合とは、もちろん、センサー出力信号がまったく出力されないような場合も含まれる。以上のような、センサー出力信号の幅でもってエラーか否かを判定することができる。
【００２３】
【発明の実施の形態】
本発明の好適な実施形態を図面を用いて説明する。
図１は、静電容量センサーを用いた静電容量式検出装置の検出原理を説明する図である。図１（ａ）において、第１の電極１０と、第２の電極１１とが向かい合うように配置されている。通常の状態では、第１、第２の電極１０，１１の間の静電容量はＣｏであり、これら電極間に人や物体が侵入すると、静電容量はＣｏ＋ΔＣとなる。また、第１の電極１０の後側には第１ガード板１２が設けられ、第２の電極１１の後側には第２ガード板１３が設けられている。第１の電極１０からの配線は第１ガードケーブル１４によりガードされており、第２の電極１１からの配線は第２ガードケーブル１５によりガードされている。
【００２４】
第１、第２ガード板１２，１３を設けているのは、次の理由による。つまり、第１、第２の電極１０，１１の間が本来の検出領域であるが、実際には、電気力線が各電極１０、１１の裏側（検出領域とは反対側）、一方の電極の裏側から他方の電極の裏側にも伸びているため、本来の検出領域の外にも電界が形成されている。そうすると、各電極１０，１１の裏側を人や物体が通過することによっても静電容量が変化するため、これが誤検出の原因となってしまう。そこで、上記のごとく第１、第２ガード板１２，１３を設けることにより、各電極１０，１１の裏側には電界が形成されなくなり、誤検出を防止することができる。
【００２５】
図１（ａ）に戻り、ｅ１，ｅ２は測定電源、ＣＢは平衡静電容量、Ｚｉはアンプの入力インピーダンスである。アンプの出力部に検出器１６（図１（ｂ）参照）を接続する。第１ガードケーブル１４の一端部は第１ガード板１２と接続され、他端部は接地されている。第２ガードケーブル１５の一端部は第２ガード板１３と接続され、他端部は第１ガードケーブル１４の前記他端部を介して接地されている。
また、自己診断を行うための補助電極４０が設けられており、スイッチ４１はこの補助電極４０を機能させるためのものである。これについては後述する。
【００２６】
図１（ｂ）は検出回路の原理を示す図である。検出回路は、インピーダンスブリッジを用いたもので、基本形の４辺ブリッジのうちの２辺を測定電源ｅ１，ｅ２とし、他の２辺が検出静電容量Ｃｏと平衡静電容量ＣＢとなる。
【００２７】
＜等価回路＞
図２は、図１に示す静電容量式検出装置の等価回路の構成を示す図である。Ｃｏは、第１、第２の電極１０，１１の間に人や物体が入りこんでいない状態の静電容量である。ΔＣは、第１、第２の電極１０，１１の間に人や物体が入りこんだ場合の静電容量の変化分である。Ｃ１は、第１ガードケーブル１４と第１の電極１０と、第１ガード板１２との間の静電容量である。Ｃ２は、第２ガードケーブル１５と第２の電極１１と、第２ガード板１３との間の静電容量である。ＣＢは平衡静電容量であり、ＣＢ＝Ｃｏ×（ｅ１／ｅ２）である。Ｚｅ１は、測定電源ｅ１の内部インピーダンスである。Ｚｅ２は、測定電源ｅ２の内部インピーダンスである。
【００２８】
第１、第２の電極１０，１１の間に空気のみが存在する状態で測定電源ｅ１，ｅ２を投入すると、測定電源ｅ１から容量Ｃ２を通って流れる電流は、測定電源ｅ１の電圧がＺｅ１×ｉ１よりも十分に大きい場合は、インピーダンスＺｉにはほとんど流れず無視できる。また、容量Ｃｏを通って流れる電流は容量Ｃ１とインピーダンスＺｉに分かれる。このとき、１／（ωＣ１）がＺｉよりも十分に大きい場合、電流ｉ１のほとんどがインピーダンスＺｉに流れる。測定電源ｅ２から、容量ＣＢを通って流れる電流はｉ２は、電流ｉ１に等しく位相差が１８０゜とした場合、インピーダンスＺｉに流れる電流はゼロとなる。
【００２９】
今、第１、第２の電極１０，１１の間に、人又は物体が入りこむと、その比誘電率に応じた量だけ容量Ｃｏが変化する。この変化分をΔＣとすると、電流ｉ１は、ｅ１ωΔＣだけ変化し、インピーダンスＺｉに電流が流れ、信号として検出される。図２に示す検出回路では、第１、第２の電極１０，１１と第１、第２ガード板１２，１３との間で構成される静電容量や配線（同軸ケーブル）の静電容量、その他の外乱の影響を受けにくく、第１、第２の電極１０，１１の間の静電容量の変化を正確に検出することが可能である。
なお、図中ΔＣ’は、後述するように補助電極４０を動作させた場合の、静電容量の変化分を示している。
【００３０】
＜応用例１＞
本発明に係る静電容量式検出装置を種々の産業分野に応用した例を説明する。以下説明する各応用例においては、基本的に第１、第２の電極１０，１１の配置のみを示す。
【００３１】
図３は、ベルトコンベア１７により搬送されるアルミ缶（スチール缶でも可）Ｋをビン・ペットボトルから分別するための装置である。アルミの比誘電率がビンやペットボトルの比誘電率とは異なると言う原理に基づくものである。搬送されるアルミ缶等の物体を挟むように、第１、第２の電極１０，１１が配置されている。第１、第２の電極１０，１１の間にアルミ缶Ｋが来たことが検出されると、シリンダ１８を作動させて、アルミ缶Ｋを回収用器１９に回収する。図３の例では、搬送経路の左右両側に第１、第２の電極１０，１１が配置されているが、搬送経路の上側と下側にそれぞれ第１、第２の電極１０，１１を配置するようにしても良い。また、斜め方向からアルミ缶等の物体を挟むように第１、第２の電極１０，１１を配置しても良い。
【００３２】
その他の変形例として、逆にビンやペットボトルのみを分別して回収するようにしても良い。いろいろな種類の素材が混在した状態で、ベルトコンベアに搭載されて搬送される場合に、特定の素材のみを分別できるような検出装置にすることができる。図３の例では、金属と非金属とを分別するものであったが、非金属の中でも特定の非金属素材のみを分別できるように構成することもできる。例えば、テフロンの比誘電率は２．０、ＰＥＴの比誘電率は３．１〜３．２、軟質塩化ビニルの比誘電率は５．０〜９．０であることから、これらの比誘電率の違いに着目して、特定の樹脂のみを分別できるような検出装置を構成することもできる。
【００３３】
＜応用例２＞
図４は、マンション、アパート等の建造物のベランダ（出入口部に相当する。）の手すり２０の幅方向両側に第１、第２の電極１０，１１を配置した例である。これにより、泥棒の侵入を検出することができる。部屋の中に居住者がいる場合には、検出回路を不作動状態にし、居住者が就寝したり、外出したりするときに検出回路を作動状態にしておく。また、検出回路を監視センターに接続しておき常時モニターしておくことも可能である。電極は、露出させておくのではなく、カバー部材等により保護しておくのが好ましい。
【００３４】
ベランダのほかに玄関の入口、窓、門、煙突等の出入口部に設けても良い。家の中の、特定の部屋の出入口（ドア）に設けても良い。
【００３５】
＜応用例３＞
図５は、エレベータ２１の扉の上下方向両側に第１、第２の電極１０，１１を配置した例である。扉の前に人が来ると、静電容量が変化し、人が来たことを検出する。これにより、エレベータがその階に既に来ておれば、扉を自動的に開放する。人は、わざわざ押しボタンを押さなくてもよい。また、エレベータが他の階におれば、その階に自動的に移動させることができる。かかる検出装置は、身障者等にとっては、わざわざ身を乗り出して押しボタンを押さなくてもすむと言う長所がある。上下方向に第１、第２の電極１０，１１を配置することにより、エレベータ２１の扉２１の周辺に障害物を設置しなくてすみ、又、美観も損なわずにすむ。
【００３６】
また、第１、第２の電極１０，１１の配置については、扉２１の上下方向ではなく、扉２１の幅方向の両側に配置しても良い。この場合において、各電極１０，１１の高さは、床面から所定の高さになるように設定されている。床面位置から設定することで、大人だけでなく子供でも検出することができる。
変形例として、エレベータではなく、デパートやビルディングの自動ドアの場合にも応用することができる。
【００３７】
＜応用例４＞
図６は、第１の電極１０と第２の電極１１の間に導体２２等の物体が侵入してきたことを検出する装置である。導体２２の進入量により静電容量の変化量も異なる。よって、この変化を検出することにより導体２２の位置を検出することができるので、図６の装置は位置センサーとして各種産業分野に応用することができる。
【００３８】
＜応用例５＞
図７は、洋式トイレの室内の便座２３の左右両側の壁面に第１、第２の電極１０，１１を配置した例である。トイレに人が入ってきて便座２３の上に腰掛けると、人の存在を検出することができる。この場合の用途として、例えば、１人暮らしの老人がいる場合に、トイレに人が入ってきたことを監視センターにおいて検出すると共に、トイレに入っている時間も監視する。そして、トイレに入っている時間が通常よりも長いと判断された場合には、何らかの異常が発生したものとして対応策を取ることができる。病院や施設におけるトイレにおいては特に必要性が高いものである。第１、第２電極１０，１１は壁面の内部に埋め込んでおけば美観を損なわないので好ましい。
【００３９】
第１、第２の電極１０，１１は、左右両側の壁面ではなく、上下両側の壁面（床面と天井面）に配置しても良い。
変形例として、トイレ以外に浴室にも応用できる。例えば、浴室内の対向する一対の壁面部に第１、第２の電極を配置することにより、浴室内における人の滞在時間を監視することができる。また、湯船内に第１、第２の電極を配置することにより、人が湯船内に浸かっている時間を監視することができる。これにより不慮の事故を未然に防止できることが期待される。
【００４０】
＜応用例６＞
図８は、室内の廊下等の通路の左右両側に第１、第２の電極１０，１１が配置されている構成例であり、人が電極間に侵入するとこれを検出して照明２４を自動点灯する。この検出装置によれば、人の侵入のないときには照明を点灯させておく必要がなく、無駄な電力の消費を防止できると共に、照明を点灯操作する手間を省くことができる。
【００４１】
通路の左右両側ではなく、上下両側（床面と天井面）に第１、第２の電極１０，１１を配置するようにしても良い。
変形例として、家の玄関に人が入ってきたときに自動的に照明を点灯するような構成があげられる。また、トイレや浴室、あるいはその他の室内に人が入ってきたときに自動的に照明を点灯するような構成もあげられる。また、照明の点灯ではなく、照明の消灯を行う場合にも応用できる。
【００４２】
＜自己診断装置＞
次に、本発明に係る静電容量センサーを用いた検出装置の自己診断装置について説明する。図９は、静電容量式検出装置の自己診断を行うための自己診断回路を示すシーケンス図であり、このシーケンスは、マイクロプロセッサ・プログラマブル・コントローラ、パーソナルコンピュータ等、電気制御できる部品、装置で構成できる。図１０は図９のシーケンス図に対応したタイムチャート及び補助電極駆動部を示す図である。この自己診断装置は、第１の電極１０と第２の電極１１（静電容量センサー）のいずれか一方の電極に対向するように補助電極４０を設置し、これを、後述する模擬信号発生用リレーＲ２（図１のスイッチ４１に相当する。）により、定期的にスイッチングさせ、所望の検知ができるか否かをチェックするものである。
【００４３】
図９において、自己診断を行う周期を設定するための周期タイマーＴ１とこの周期タイマーＴ１のＢ接点とが直列接続され、周期タイマーＴ１と並列接続された模擬信号を出力させるための模擬信号タイマーＴ２と、同じく周期タイマーＴ１と並列接続された自己診断を行う時間を設定するための自己診断タイマーＴ３とが設けられている。
【００４４】
静電容量センサーの作動によりＯＮされるＳＷと直列にセンサー出力リレーＲ１が接続される。つまり、ＳＷのＯＮによりセンサー出力リレーＲ１が励磁される（ＯＮとなる。）。センサー出力リレーＲ１がＯＮになる時間は、センサー出力信号の幅 (図１０のｒ１，ｒ２，ｒ３参照) に相当する。
模擬信号タイマーＴ２のＢ接点と模擬信号発生用リレーＲ２とが直列接続される。つまり、模擬信号タイマーＴ２により設定される時間ｔ２だけセンサーを作動させるための模擬信号を発生させる (図１０参照) 。
自己診断タイマーＴ３のＢ接点と自己診断信号出力用リレーＲ３とが直列接続される。これにより、自己診断タイマーＴ３により設定される時間ｔ３は、自己診断を行う時間として設定される。時間ｔ３は、センサー出力信号の幅の大きさを考慮して、これをカバーできるように設定される。
【００４５】
センサー出力リレーＲ１のＡ接点と幅判定タイマーＴ４とが直列接続される。幅判定タイマーＴ４は、あらかじめ設定された幅を有する比較信号を出力するために設けられ、この比較信号の幅とセンサー出力信号との幅を比較することにより、静電容量センサー等にエラーが発生しているか否かを判定する。
【００４６】
幅判定タイマーＴ４のＡ接点と幅判定用リレーＲ４とが直列接続されている。そして、この幅判定用リレーＲ４により、幅判定タイマーＴ４により設定された時間ｔ４だけ比較信号を出力する (図１０参照) 。
幅判定用リレーＲ４のＡ接点と、センサー出力リレーＲ１のＡ接点と、模擬信号発生用リレーＲ２のＢ接点と、正常信号発生用リレーＲ５とが直列接続され、かつ、幅判定用リレーＲ４のＡ接点及びセンサー出力リレーＲ１のＡ接点と、正常信号発生用リレーＲ５のＡ接点とが並列接続される。つまり、リレーＲ１，Ｒ４のＯＮとリレーＲ２のＯＦＦによりリレーＲ５がＯＮとなる。
【００４７】
自己診断信号出力用リレーＲ３のＡ接点と、エラー信号発生用リレーＲ６とが直列接続される。また、リレーＲ３と正常信号発生用リレーＲ５のＡ接点とは並列接続されている。
正常検知信号発生用リレーＲ７と、自己診断信号出力用リレーＲ３のＢ接点と、センサー出力リレーＲ１のＡ接点とが直列接続されている。また、リレーＲ３のＡ接点もリレーＲ７と直列接続されている。
【００４８】
＜自己診断回路のタイムチャート＞
図１０（ｂ）は、第１の電極１０と第２の電極１１とからなる静電容量センサを用いた自己診断装置の概略模式図である。模擬人体（又は、模擬物体）として機能する補助電極４０が模擬信号発生用リレーＲ２の接点を介して検出回路に接続されている。自己診断回路５は、図９に示されるシーケンス図に基づいて構成される。静電容量センサーは、第１、第２の電極１０，１１の間の静電容量が物体あるいは人の進入により変化することを検出し、これにより警報信号を出力したり所定の動作をさせたりする。つまり、補助電極４０を動作させて、物体や人が第１、第２の電極１０，１１の間に進入してきたのと同じ状態を強制的に作り出すことにより、静電容量センサーの自己診断を行うことができる。
【００４９】
そのため、模擬信号発生用リレーＲ２により、図１０（ａ）に示すような模擬信号（Ｒ２）を自己診断回路５から周期的に発生させる。周期はｔ１で示され、これは周期タイマーＴ１により設定される。模擬信号（Ｒ２）の幅はｔ２で示されており、これは模擬信号発生用リレーＲ２により設定される。図１０（ａ）では、説明の便宜上３周期分を示し、第１周期目はセンサーからの出力が正常であった場合、第２周期目はセンサーからの出力が異常（出力信号幅が小さい）であった場合、第３周期目はセンサーからの出力が異常（出力信号がなし）であった場合をそれぞれ示している。
【００５０】
＜正常な場合＞
模擬信号（Ｒ２）により、補助電極４０が動作し、第１、第２の電極１０，１１の間に静電容量の変化が起こる（図２のΔＣ’に相当する。）。これを検出回路により検出し、センサー出力リレーＲ１により出力信号（Ｒ１）が出力される。図１０にも示すように、模擬信号（Ｒ２）と出力信号（Ｒ１）とはΔｔの時間ずれがあるが、これはＡ／Ｄ変換器による変換遅れ等が原因によるものであり、実際は数１０ｍｓｅｃ程度のわずかの量である。（図１０は誇張して描かれている。）センサー等が正常であれば、出力信号（Ｒ１）は、幅ｔｒ１のパルス状信号となる。
【００５１】
出力信号（Ｒ２）と同時に幅判定用リレーＲ４による比較信号（Ｒ４）が出力される。比較信号（Ｒ４）の幅は、幅判定タイマーＴ４によりｔ４になるように設定されている。なお、比較信号（Ｒ４）は通常Ｈレベル（ＯＮ）であり、Ｌレベル（ＯＦＦ）がアクティブとなる。そして、幅判定時間ｔ４が経過した時点で、出力信号（Ｒ２）がＬレベル、かつ、比較信号（Ｒ４）がＨレベル、かつ、出力信号（Ｒ１）がＨレベルであれば、正常信号発生用リレーＲ５をＯＮにし、Ｈレベルの正常信号（Ｒ５）を発生させる。つまり、比較信号（Ｒ４）の幅ｔ４よりも出力信号（Ｒ１）の幅ｔｒ１が大きければ、センサー等は正常であると判定される。出力信号（Ｒ１）は幅ｔｒ１に相当する時間が経過するとＬレベルに変化するが、リレーＲ５のＡ接点によりリレーＲ５は自己保持されるので、正常信号（Ｒ５）はそのままＨレベルの状態で保持される。次の周期において模擬信号（Ｒ２）が立ち上がることにより、自己保持が解除される（図９参照）。
【００５２】
エラー信号発生用リレーＲ６は、自己診断の結果センサー等にエラーが発生するとＬレベルのエラー信号（Ｒ６）を出力するためのものであるが、自己診断を行う期間を設定する自己診断信号（Ｒ３）が発生している間は、エラー信号を出力せず、自己診断期間が経過した後もＨレベルの正常信号（Ｒ５）が出力されておればエラー信号（Ｒ６）を出力しないようになっている（図１０参照）。
【００５３】
正常検知信号発生用リレーＲ７は、自己診断を行わない通常の使用状態において、Ｌレベルの正常検知信号（Ｒ７）を出力する。リレーＲ７は、自己診断信号出力用リレーＲ３のＡ接点と直列接続されているので、自己診断期間中はＬレベルの正常検知信号（Ｒ７）を出力しない。図１０のように、ｒ２で示されるような出力信号（Ｒ１）があった場合に、正常検知信号（Ｒ７）がＬレベルとなる。
【００５４】
図示はしていないが、エラー信号（Ｒ６）が出力された場合には、警報を出してオペレータに知らせるようにする。また、正常検知信号（Ｒ７）が出力された場合も警報を出すようにする。
【００５５】
＜異常な場合＞
次に、静電容量センサー等に異常があり、出力信号（Ｒ１）の幅がｔｒ３のように小さかったとする。この幅ｔｒ３は、設定された比較信号ｔ４の幅よりも小さい。従って、自己診断期間ｔ４が経過した時はすでにリレーＲ１がＯＦＦになっており、その結果正常信号発生用リレーＲ５をＯＮさせない。したがって、正常信号（Ｒ５）が出力されない。また、リレーＲ５がＯＮされないから自己診断期間ｔ３を経過すると、エラー信号発生用リレーＲ６はＯＦＦになる。つまり、Ｌレベルのエラー信号（Ｒ６）を発生する。
静電容量センサーに異常があり、まったく出力信号Ｒ１が出てこない場合も、幅が小さい場合と同じような結果となる。
【００５６】
以上のように、リレーＲ２とタイマーＴ２は模擬信号供給部として機能し、
リレーＲ４とタイマーＴ４は比較信号出力部として機能し、
リレーＲ１，Ｒ２，Ｒ４，Ｒ５は比較判定部として機能し、
リレーＲ３，Ｒ５，Ｒ６は、エラー信号出力部として機能し、
タイマーＴ３とリレーＲ３とは自己診断信号出力部として機能する。
【００５７】
以上のように、本発明による静電容量式検出装置は、さまざまな産業分野において利用することができ、さらに自己診断機能を持たせることにより付加価値の高い装置とすることができる。
【図面の簡単な説明】
【図１】静電容量センサーを用いた静電容量式検出装置の検出原理を説明する図
【図２】図１の検出回路の詳細（等価回路）を示す図
【図３】本発明をアルミ缶の分別に用いた応用例
【図４】本発明を建造物のベランダに用いた応用例
【図５】本発明をエレベータに用いた応用例
【図６】本発明を位置センサーとして用いた応用例
【図７】本発明をトイレ室内に用いた応用例
【図８】本発明を通路における照明の自動点灯に用いた応用例
【図９】静電容量式検出装置の自己診断を行うための自己診断回路を示すシーケンス図
【図１０】図９のシーケンス図に対応したタイムチャート及び補助電極駆動部を示す図
【符号の説明】
１０    第１の電極
１１    第２の電極
Ｃｏ    静電容量
ΔＣ    静電容量の変化分
ｅ１    測定電源
ｅ２    測定電源
【図１】
0003676173.tif 000002
【図２】
0003676173.tif 000003
【図３】
0003676173.tif 000004
【図４】
0003676173.tif 000005
【図５】
0003676173.tif 000006
【図６】
0003676173.tif 000007
【図７】
0003676173.tif 000008
【図８】
0003676173.tif 000009
【図９】
0003676173.tif 000010
【図１０】
0003676173.tif 000011